(57)【特許請求の範囲】
【請求項１】
ボタンスイッチやプルスイッチを操作することにより身体に異常が発生したことを報知するコールスイッチ部と人体を検知する人体検知センサ部とを一体に備える子器と、該子器からの信号を受信する親器と、管理人室等に設けられ、前記親器からの信号を集中的に管理する警報監視盤と、を備えたセキュリティ装置であって、
電力が供給される電源ライン及び接地されるグランドラインのそれぞれに接続する２つの接続線を子器に設け、コールスイッチ部を操作すると導通する構成とするとともに人体検知センサ部において人体が検知されると導通する構成とし、コールスイッチ部及びセンサ部とを前記接続線間に並列に接続し、
電源ラインの電圧レベルの変化を監視する発報部を親器に付加し、コールスイッチ部又は人体検知センサ部が導通した際、それぞれ異なる抵抗値を有する抵抗に電流が流れることにより、コールスイッチ部が操作されたのか、人体検知センサ部にて人体が検知されたのかを、前記発報部にて判断するとともにその旨を警報監視盤に報知することを特徴とするセキュリティ装置。
【請求項２】
前記子器を壁面等に取り付け、前記人体検知センサ部の検知エリアを、前記子器が取り付けられる空間の床面に対して略平行としたことを特徴とする請求項１記載のセキュリティ装置。
【請求項３】
タイマ部を付加し、前記人体検知センサ部において人体が検知されてからの時間を前記タイマ部にて計測し、所定時間が経過するまでに再び前記人体検知センサ部が人体を検知しなければ、前記警報監視盤にてその旨を報知することを特徴とする請求項１又は請求項２記載のセキュリティ装置。
【請求項４】
玄関ドアの外出錠に連動してセキュリティ装置が稼動することを特徴とする請求項３記載のセキュリティ装置。
【請求項５】
前記人体検知センサ部は焦電センサ及びカウント部を備えるものであり、所定時間内に所定回数以上連続して前記焦電センサが出力パルスを出力したときに、人体が検知されたと人体検知センサ部にて判定することを特徴とする請求項１乃至請求項４のいずれか一項に記載のセキュリティ装置。
【請求項６】
断線検知部を付加し、子器と親器とが断線したこと前記断線検知部にて検出し、その旨を警報監視盤にて報知することを特徴とする請求項１乃至請求項５のいずれか一項に記載のセキュリティ装置。
【請求項７】
前記子器を複数台設置したことを特徴とする請求項１乃至請求項６のいずれか一項に記載のセキュリティ装置。
【発明の詳細な説明】
【０００１】
【発明の属する技術分野】
本発明は、老人や病人に異常状態が発生したときに、介護者等の第三者にそのことを通報するセキュリティ装置に関するものである。
【０００２】
【従来の技術】
従来、セキュリティ装置は、人体が放射する赤外線を検知する焦電型赤外線センサ（以下、ＰＩＲセンサと記載）をセキュリティ装置の子器として各部屋の天井等に設置しておき、お年寄りがどこの部屋にいるかを検知する。そして、次に別のＰＩＲセンサが人体を検知するまでその結果を警報監視盤に表示するようにしておけば、例えば、最後に検知された位置が警報監視盤に表示されることになり、お年寄りに何らかの異常が発生した場合、お年寄りを迅速に発見し処置を施すことが可能となる。
【０００３】
また、図７に示す構成のセキュリティ装置では、玄関ドア９８の施錠が外部から解除されると親器１００に設けられた判定部１０２においてお年寄りが在室しているものと判定し、セキュリティ装置が稼働するとともに、発報部１０４より管理人室等に設けられた警報監視盤１０６に在室していることが表示される。
【０００４】
そして、トイレの天井に設けられたセキュリティ装置の子器であるＰＩＲセンサ１０８にてお年寄りが検知されてからの時間を親器１０２に設けられたタイマ部１１０で計測し、例えば、所定時間内に水洗操作が行われなければトイレにおいてお年寄りに何らかの異常が発生したと判定部１０２にて判定する。その結果は、発報部１０４を介して警報監視盤１０６に表示されるので、トイレ内においてお年寄りに異常が発生した旨を自動的に警報監視盤１０６にて介護者に報知することができるようにしている。
【０００５】
また、特にトイレや浴室等、一人で入室する空間の壁面に、図８に示すようなセキュリティ装置の子器１２０を設置しておき、お年寄りに異常が発生した場合、子器１２０に設けたボタンスイッチ１２２やプルスイッチ１２４をお年寄りが操作すると、警報監視盤１０６にスイッチが操作された旨とその場所が表示されるというセキュリティ装置がある。
【０００６】
【発明が解決しようとする課題】
ところが、上述のような構成のセキュリティ装置では、例えば、トイレという比較的狭い空間にスイッチやＰＩＲセンサ等のセンサといった子器を複数設置しなければならず、設置位置を確保するのが困難であるという問題点を有していた。また、センサが天井に取付けられているとセンサが目立ってしまい室内にいる人に対して監視されているといった不快感を与えてしまうという問題点を有している。
【０００７】
本発明は、上記の問題点に鑑みて成されたものであり、その目的とするところは、場所を取らず設置することができ、特に、人体を検知するセンサを目立たない場所に設置できるセキュリティ装置を提供することにある。
【０００８】
【課題を解決するための手段】
請求項１記載の発明は、ボタンスイッチやプルスイッチを操作することにより身体に異常が発生したことを報知するコールスイッチ部と人体を検知する人体検知センサ部とを一体に備える子器と、該子器からの信号を受信する親器と、管理人室等に設けられ、前記親器からの信号を集中的に管理する警報監視盤と、を備えたセキュリティ装置であって、電力が供給される電源ライン及び接地されるグランドラインのそれぞれに接続する２つの接続線を子器に設け、コールスイッチ部を操作すると導通する構成とするとともに人体検知センサ部において人体が検知されると導通する構成とし、コールスイッチ部及びセンサ部とを前記接続線間に並列に接続し、電源ラインの電圧レベルの変化を監視する発報部を親器に付加し、コールスイッチ部又は人体検知センサ部が導通した際、それぞれ異なる抵抗値を有する抵抗に電流が流れることにより、コールスイッチ部が操作されたのか、人体検知センサ部にて人体が検知されたのかを、前記発報部にて判断するとともにその旨を警報監視盤に報知することを特徴とするものである。
【０００９】
請求項２記載の発明は、請求項１記載のセキュリティ装置において、前記子器を壁面等に取り付け、前記人体検知センサ部の検知エリアを、前記子器が取り付けられる空間の床面に対して略平行としたことを特徴とするものである。
【００１０】
請求項３記載の発明は、請求項１又は請求項２記載のセキュリティ装置において、タイマ部を付加し、前記人体検知センサ部において人体が検知されてからの時間を前記タイマ部にて計測し、所定時間が経過するまでに再び前記人体検知センサ部が人体を検知しなければ、前記警報監視盤にてその旨を報知することを特徴とするものである。
【００１１】
請求項４記載の発明は、請求項３記載のセキュリティ装置において、玄関ドアの外出錠に連動してセキュリティ装置が稼働することを特徴とするものである。
【００１４】
請求項５記載の発明は、請求項１乃至請求項４のいずれか一項に記載のセキュリティ装置において、前記人体検知センサ部は焦電センサ及びカウント部を備えるものであり、所定時間内に所定回数以上連続して前記焦電センサが出力パルスを出力したときに、人体が検知されたと人体検知センサ部にて判定することを特徴とするものである。
【００１５】
請求項６記載の発明は、請求項１乃至請求項５のいずれか一項に記載のセキュリティ装置において、断線検知部を付加し、子器と親器とが断線したこと前記断線検知部にて検出し、その旨を警報監視盤にて報知することを特徴とするものである。
【００１６】
請求項７記載の発明は、請求項１乃至請求項５のいずれか一項に記載のセキュリティ装置において、前記子器を複数台設置したことを特徴とするものである。
【００１７】
【発明の実施の形態】
以下、本発明の一実施の形態について図１及び図２に基づき詳細に説明する。また、本発明の他の実施の形態について図３及び図４に基づき詳細に説明する。さらに、本発明の他の実施の形態について図５及び図６に基づき詳細に説明する。
【００１８】
図１はセキュリティ装置における子器の外観図であり、（ａ）は側面図であり、（ｂ）は正面図である。図２はセキュリティ装置の子器をトイレの側面に取り付けた際のその検知エリアの様子を表す図であり、（ａ）は上面図であり、（ｂ）及び（ｃ）は側面図である。図３はセキュリティ装置の概略構成図である。図４はセキュリティ装置の概略構成図である。図５は複数の子器を有するセキュリティ装置の概略構成図である。図６は複数の子器を有するセキュリティ装置の概略構成図である。
【００１９】
［第１の実施の形態］
トイレ等の壁面に設けられるセキュリティ装置の子器１を図１に示す。子器１には、利用者（例えば、お年寄り）の身体等に異常が発生した際、お年寄りが押下すると、管理人室等に設けられた警報監視盤にその旨が報知されるボタンスイッチ３が設けられている。また、子器１の下部に設けられたヒモを引き下げることにより、異常が発生したことを報知するプルスイッチ５が設けられている。子器１には、ボタンスイッチ３やプルスイッチ５が操作された際に点灯し、スイッチ操作が行われていることを表示する表示部７が設けられている。以下、ボタンスイッチ３及びプルスイッチ５はともに介護者を呼ぶためのスイッチであるので、これらをあわせてコールスイッチ部１１と呼ぶ。
【００２０】
さらに、子器１の略中央部には、人の存在を検知する人体検知センサ部９がコールスイッチ部１１と一体に設けられており、ここでは、ＰＩＲセンサを用いている。
【００２１】
なお、センサ部９は、人の存在を検知するものであればよく、超音波を利用した超音波式センサや光線が遮断されると人が存在すると判断する光線式センサ等を用いるようにしてもよい。
【００２２】
本実施の形態によれば、セキュリティ装置における複数の子器を一体に形成しているので、多くの設置場所を確保する必要がなく、トイレ等のように特に狭い空間において有効である。また、人体検知センサ部を目立たない場所に設置できるため、利用者に対して監視されているといった不快感を与えることがない。
【００２３】
また、センサ部９を天井ではなく壁面に設け、その検知エリアを、子器１が設置された壁面の高さにおいて床面と略平行となるようにしているので、図２に示すように、人間は検知するがそれ以外の小動物は検知しない高さに子器１を設置するようにすれば、子器１の設置された空間にペット等の小動物が侵入したとしてもセンサ部９が反応しないため、誤報が発報されるのを防止することができる。
【００２４】
［第２の実施の形態］
図３は、第１の実施の形態に示した子器１を用いたセキュリティ装置の概略構成図である。このセキュリティ装置は、人体検知センサ部９及びコールスイッチ部１１を備えた子器１と子器１を制御する親器１３と親器１３からの信号を表示する警報監視盤３０とからなる。
【００２５】
１５は親器１３に設けられた発報部であり、子器１に接続された電源ラインの電圧レベルを監視している。そして、電源ラインの電圧レベルに変動が生じると子器１において信号が出力されたとして、管理人室等に設けられた警報監視盤３０にその旨を表示する。
【００２６】
１７は電源部であり、電源ラインの電圧レベルを一定に保っている。なお、ここでは、電源ラインをＤＣ５Ｖに設定している。
【００２７】
人体検知センサ部９は、トランジスタＴＲ９と抵抗Ｒ９とを電源ライン−グランドライン間に直列に接続し、ＰＩＲセンサ９ａの出力によりトランジスタＴＲ９のオン・オフを制御している。つまり、人体がＰＩＲセンサ９ａにより検出されるとトランジスタＴＲ９がオンするように接続されている。
【００２８】
コールスイッチ部１１は、スイッチＳＷ１１と抵抗Ｒ１１とが電源ライン−グランドライン間に直列に接続されている。
【００２９】
次に、本実施形態における動作について説明する。今、ＰＩＲセンサ９ａが人体を検出するとトランジスタＴＲ９がオンされるため、電源ラインの電圧レベルが、電源部に設けられた抵抗Ｒ１７と人体検知センサ部９の抵抗Ｒ９とにより分圧され、一時的に変動する。そして、電源ラインの電圧レベルに所定値以上の変動が生じると、人体検知センサ部９において人体が検出されたと発報部１５により判断して、警報監視盤３０にその旨を表示する。
【００３０】
コールスイッチ部１１の動作についても同様であるが、人体検知センサ部９に設けられた抵抗Ｒ９とコールスイッチ部１１に設けられた抵抗Ｒ１１との抵抗値を変えておけば、人体検知センサ部９において人体が検知されたときの電源ラインの電圧レベルの変動値とコールスイッチ部１１を操作したときの電源ラインの電圧レベルの変動値が異なるので、人体検知センサ部９が人体を検知したのか、コールスイッチ部１１が操作されたのかを発報部１５において判断することが可能となり、それに応じた信号を警報監視盤３０に出力することができる。
【００３１】
さて、従来、人体検知センサ部９において、電源ラインとグランドラインに加えて、人体を検知した際の検知信号を出力する信号ラインを加えた３線が必要となる。しかし、本実施の形態では、電源ラインと信号ラインを共有することができるので、都合２線で人体検知センサ部９を制御することができる。また、人体検知センサ部９及びコールスイッチ部１１が一体に形成されているので、人体検知センサ部９及びコールスイッチ部１１の電源ライン及びグランドラインをそれぞれ共有することができる。このため、子器１から引きだされる２つの接続線を電源ライン及びグランドラインに接続するだけで子器１を施工することができ、取り付けの簡易性に優れるという効果を有する。
【００３２】
また、人体検知センサ部９とコールスイッチ１１に異なる抵抗値を持つ抵抗を接続するようにしたので、人体検知センサ部９が人体を検知したのか、コールスイッチ部１１が操作されたのかを発報部１５において判断することができるという効果を奏する。
【００３３】
［第３の実施の形態］
本実施の形態では、第２の実施の形態において、人体検知センサ部９を、ＰＩＲセンサ９ａ、カウント部９ｂ、出力部９ｃ、抵抗Ｒ９、トランジスタＴＲ９により構成している。
【００３４】
ＰＩＲセンサ９ａは、焦電素子の出力を増幅したアナログ波形に対して、ウィンドコンパレータにより予め設定されたしきい値を超えた場合に出力パルスを発生する。すなわち、人体を検知した場合はもちろんのこと、人体を検知していないにもかかわらず焦電素子が突発的に出力する所謂ポップコンノイズが発生し、そのレベルがしきい値を超えている場合もＰＩＲセンサ９ａは出力パルスを発生する。
【００３５】
カウント部９ｂは、一定時間内に発生する出力パルスの発生回数を計測する。出力部９ｃは、カウント部９ｂにおいて一定時間内に所定回数以上の出力パルスが発生すると検知信号を出力する。
【００３６】
抵抗Ｒ９とトランジスタＴＲ９は直列に電源ライン−グランドライン間に接続されている。そして、出力部において検知信号が出力されるとトランジスタＴＲ９をオンする。
【００３７】
次に、本実施の形態の動作について説明する。例えば、カウント部９ｂが１０秒間に３回以上の出力パルスを出力すると出力部９ｃにおいて検知信号を出力するとする。
【００３８】
つまり、１回目の出力パルスから１０秒以内に、更に２回の出力パルスがＰＩＲセンサ９ａより来ない場合、ポップコンノイズが発生したとして出力部９ｃから検知信号を出力しない。実際、１０秒程度の短時間内にポップコンノイズ等の誤動作要因が連続的に発生することは稀であることが実験的に知られている。
【００３９】
これに対し、１０秒間に３回以上の出力パルスが発生した場合には、人間が子器１が設置された空間に入室したと判断することが妥当であると実験的に確認されているので、この場合は出力部９ｃから検知信号を出力する。
【００４０】
本実施の形態によれば、焦電センサ特有のノイズであるポップコンノイズ等の誤動作要因を取り除くことができるので、人体検知センサ部９の人体検知の精度を大幅に向上することが可能となる。
【００４１】
［第４の実施の形態］
本実施の形態では、第３の実施の形態において、人体検知センサ部９に、更に、タイマ９ｄと判定部９ｅを付加した構成となっている。
【００４２】
タイマ９ｄは、出力部９ｃから検知信号を受信すると時間を計測開始する。
判定部９ｅは、タイマ９ｄにおいて計測された時間内を参照し、予め設定された所定時間内に再度出力部９ｃから検知信号が出力されるとタイマ９ｄを０にリセットする。タイマ９ｄは０から再び時間を計測を始める。また、判定部９ｅは、所定時間内に検知信号が発生しなかった場合に、異常信号を出力しトランジスタＴＲ９をオンする。
【００４３】
次に、本実施の形態の動作について説明する。例えば、子器１をお年寄りが頻繁に利用する場所（例えばトイレ等）に設置し、判定部９ｅにおいて設定される時間を８時間と設定しておく。
【００４４】
今、お年寄りがトイレを使用したとする。すると、タイマ９ｄが時間の計測を開始する。そして、８時間以内に判定部９ｅから検知信号が出力されなければ、つまり、８時間もトイレを使用されなければ、お年寄りに異常が発生したとしてトランジスタＴＲ９をオンし、警報監視盤３０に信号を出力する。
【００４５】
本実施の形態によれば、お年寄りに何らかの異常が発生し身動きできない状態になったとしても自動的に非常通報が可能となる。
【００４６】
なお、お年寄りが外出している場合だと、例えば、トイレが８時間以上使用されていないことがありうる。そこで、玄関ドアに設けた玄関ドアが外部から施錠されると室内には誰もいないものと判断し、判定部９ｅにおいてタイマ９ｄをリセットするとともに次にトイレが使用されるまで時間を計測しないようにしてもよい。
【００４７】
また、子器１の構成を簡略化するために、例えば、図４に示すように、人体検知センサ部９のタイマ９ｄ及び判定部９ｅを親器１３に設けるようにしてもよい。この際、発報部１５において人体検知センサ部９により人体が検知されたと判断すると、タイマ９ｄにより時間を計測することになる。
【００４８】
［第５の実施の形態］
本実施の形態では、第４の実施の形態において、電源ライン−グランドライン間の終端に終端抵抗Ｒ１９を設けている。
【００４９】
本実施の形態によれば、何らかの原因により親器１３から子器１への配線が切断された場合でも、親器１３の発報部１５が監視している電源ラインの電圧レベルが通常状態から変動することになる。この際にも、発報部１５からその旨を警報監視盤３０に表示するようにしておけば、機器異常を即座に報知することが可能となる。
【００５０】
［第６の実施の形態］
本実施の形態では、図５及び図６に示すように、子器１を複数台接続した構成となっている。第１乃至第５の実施の形態では、例えば、子器１がトイレにしか設置されていなかったが、本実施の形態ではトイレ以外に洗面所や廊下等その他の空間に複数設置されている。その際、集合住宅等にセキュリティ装置を取付ける場合には、各戸に親器１３を設け、各親器１３に子器１を複数台取付けることになる。
【００５１】
当然、子器１が複数設置されている方が、お年寄りに異常が発生した際、その旨を介護者に即座に報知することが可能となる。
【００５２】
なお、図６に示すセキュリティ装置では、図５に示したセキュリティ装置の各子器１ａ〜１ｎが有しているタイマ９ｄａ〜９ｄｎ及び判定部９ｅａ〜９ｅｎをタイマ９ｄ及び判定部９ｅとして親器１３に備えた構成となっており、子器１ａ〜１ｎの構成が簡単にできる。
【００５３】
発報部３２では、子器１ａ〜１ｎの人体検知センサ９ａ〜９ｎのどのセンサが人体を検知したのか、または、コールスイッチ部１１ａ〜１１ｎのどのスイッチが操作されたのかを判断し、その結果を警報監視盤３０に表示する。発報部３２では、電源ラインの電圧レベルを監視しており、どのセンサが人体を検知したか、または、どのスイッチが操作されたかを判断するために、各人体検知センサ９ａ〜９ｎに設けた抵抗Ｒ９ａ〜Ｒ９ｎ、各コールスイッチ部１１ａ〜１１ｎに設けた抵抗Ｒ１１ａ〜Ｒ１１ｎ及び終端抵抗Ｒ１９が全て異なる抵抗値を有するようにしている。これにより、どの人体検知センサ９ａ〜９ｎが人体を検知したとしても、また、どのコールスイッチ部１１ａ〜１１ｎが操作されたとしても、電源ラインの電圧レベルが全て異なる値となる。なお、どの抵抗に導通したかによってどの程度電源ラインの電圧レベルが変化するかは発報部３２にて予め設定されており、人体検知センサ９ａ〜９ｎのどのセンサが人体を検知したのか、または、コールスイッチ部１１ａ〜１１ｎのどのスイッチが操作されたのかを発報部３２において判断している。
【００５４】
また、プルアップ抵抗３４は子器１ａ〜１ｎの増設にともなって電源ラインの電圧レベルが変化するのを防止するために設けられており、電源ラインの電圧レベルが一定（例えば、ＤＣ５Ｖ）となるように、プルアップ抵抗３４の抵抗値を変化させることで設定している。
【００５５】
以上のように、請求項１記載の発明にあっては、ボタンスイッチやプルスイッチを操作することにより身体に異常が発生したことを報知するコールスイッチ部と人体を検知する人体検知センサ部とを一体に備える子器と、該子器からの信号を受信する親器と、管理人室等に設けられ、前記親器からの信号を集中的に管理する警報監視盤と、を備えたセキュリティ装置であって、電力が供給される電源ライン及び接地されるグランドラインのそれぞれに接続する２つの接続線を子器に設け、コールスイッチ部を操作すると導通する構成とするとともに人体検知センサ部において人体が検知されると導通する構成とし、コールスイッチ部及びセンサ部とを前記接続線間に並列に接続し、電源ラインの電圧レベルの変化を監視する発報部を親器に付加し、コールスイッチ部又は人体検知センサ部が導通した際、それぞれ異なる抵抗値を有する抵抗に電流が流れることにより、コールスイッチ部が操作されたのか、人体検知センサ部にて人体が検知されたのかを、前記発報部にて判断するとともにその旨を警報監視盤に報知するようにしたので、セキュリティ装置における複数の子器を一体に形成したことにより、子器を設置する際に多くの設置場所を確保する必要がないという効果を有し、特に、トイレ等のように狭い空間に子器を取り付ける場合において有効である。また、人体検知センサ部を天井等に設置すると、人体検知センサが目立つため室内にいる人に対して監視されているといった不快感を与えてしまうという問題点を有していたが、コールスイッチ部と人体検知センサ部とを一体にすることにより、人体検知センサ部を目立たない場所に設置できるという効果を奏する。また、電力が供給される電源ライン及び接地されるグランドラインのそれぞれに接続する２つの接続線を子器に設け、コールスイッチ部を操作すると導通する構成とするとともに人体検知センサ部において人体が検知されると導通する構成とし、コールスイッチ部及びセンサ部とを接続線間に並列に接続したので、子器から引き出される２つの接続線を電源ライン及びグランドラインに接続するだけで子器を施工することができ、取り付けの簡易性に優れるという効果を奏する。さらに、電源ラインの電圧レベルの変化を監視する発報部を親器に付加し、コールスイッチ部又は人体検知センサ部が導通した際、それぞれ異なる抵抗値を有する抵抗に電流が流れることにより、コールスイッチ部が操作されたのか、人体検知センサ部にて人体が検知されたのかを、発報部にて判断するとともにその旨を警報監視盤に報知するようにしたので、警報監視盤により人体検知センサ部にて人体が検知されたのか、コールスイッチ部が操作されたのかを知ることができるという効果を有するとともに、そのそれぞれに応じた対応を介護者により即座に行うことが可能となるという効果を奏する。
【００５６】
請求項２記載の発明にあっては、請求項１記載のセキュリティ装置において、子器を壁面等に取り付け、人体検知センサ部の検知エリアを、子器が取り付けられる空間の床面に対して略平行としたので、子器を設置する高さにより、ペット等の人間以外を人体検知センサ部にて検知するのを防止することができるという効果を奏する。
【００５７】
請求項３記載の発明にあっては、請求項１又は請求項２記載のセキュリティ装置において、タイマ部を付加し、人体検知センサ部において人体が検知されてからの時間をタイマ部にて計測し、所定時間が経過するまでに再び人体検知センサ部が人体を検知しなければ、警報監視盤にてその旨を報知するので、お年寄りに何らかの異常が発生し身動きできない状態になったとしても自動的に非常通報が可能となるという効果を奏する。
【００５８】
請求項４記載の発明にあっては、請求項３記載のセキュリティ装置において、玄関ドアの外出錠に連動してセキュリティ装置が稼働するので、室内に人がいない場合にはセキュリティ装置が稼働しないようにしておけば、室内にだれもいないにもかかわらず非常通報がされてしまうのを防止することが可能となるという効果を奏する。
【００６１】
請求項５記載の発明にあっては、請求項１乃至請求項４のいずれか一項に記載のセキュリティ装置において、人体検知センサ部は焦電センサ及びカウント部を備えるものであり、所定時間内に所定回数以上連続して前記焦電センサが出力パルスを出力したときに、人体が検知されたと人体検知センサ部にて判定するので、焦電センサ特有のノイズであるポップコーンノイズ等の誤動作要因を取り除くことができるので、人体検知センサ部の人体検知の精度を大幅に向上することが可能となるという効果を奏する。
【００６２】
請求項６記載の発明にあっては、請求項１乃至請求項５のいずれか一項に記載のセキュリティ装置において、断線検知部を付加し、子器と親器とが断線したこと前記断線検知部にて検出し、その旨を警報監視盤にて報知するようにしたので、子器と親器の接続不良等の機器異常を即座に報知することが可能となるという効果を奏する。
【００６３】
請求項７記載の発明にあっては、請求項１乃至請求項６のいずれか一項に記載のセキュリティ装置において、子器を複数台設置したので、お年寄りに異常が発生した際、その旨を介護者に即座に報知することが可能となるという効果を奏する。
【図面の簡単な説明】
【図１】セキュリティ装置における子器の外観図である。
【図２】セキュリティ装置の子器をトイレの側面に取り付けた際のその検知エリアの様子を表す図である。
【図３】セキュリティ装置の概略構成図である。
【図４】セキュリティ装置の概略構成図である。
【図５】複数の子器を有するセキュリティ装置の概略構成図である。
【図６】複数の子器を有するセキュリティ装置の概略構成図である。
【図７】従来のセキュリティ装置の概略構成図である。
【図８】従来のセキュリティ装置の子器の外観図である。
【符号の説明】
１      子器
７      表示部
９      人体検知センサ部
９ａ    ＰＩＲセンサ
９ｂ    カウント部
９ｃ    出力部
９ｄ    タイマ
９ｅ    判定部
１１    コールスイッチ部
１３    親器
１７    電源部
Ｒ１９  終端抵抗
３０    警報監視盤
【図１】
0003826505.tif 000002
【図２】
0003826505.tif 000003
【図３】
0003826505.tif 000004
【図４】
0003826505.tif 000005
【図５】
0003826505.tif 000006
【図６】
0003826505.tif 000007
【図７】
0003826505.tif 000008
【図８】
0003826505.tif 000009